【手続補正書】
【提出日】平成25年5月28日(2013.5.28)
【手続補正１】
【補正対象書類名】特許請求の範囲
【補正対象項目名】請求項３
【補正方法】変更
【補正の内容】
【請求項３】
引き金８の踏板１を受けるＬ字形状の一辺に、Ｌ字の角部から離れた位置に
突起１１を設けた請求項１、又は２記載のいずれかの括り罠。
【手続補正２】
【補正対象書類名】特許請求の範囲
【補正対象項目名】請求項５
【補正方法】変更
【補正の内容】
【請求項５】
台座３６は四角枠とし、その一辺に引き金８を回転自由な固定金９で固定し、引き金８と引き金８に対向する他辺とで踏板３７を受け、踏板３７を踏んだ時に引き金８を作動させるようにした請求項１から４記載のいずれかの括り罠。
【手続補正３】
【補正対象書類名】明細書
【補正対象項目名】０００８
【補正方法】変更
【補正の内容】
【０００８】
本発明の請求工３の括り罠は、引き金８の踏板１を受けるＬ字形状の一辺に、Ｌ字形状の角部から離れた位置に、踏板１止め用の突起１１を設けている。
このため、踏板１を引き金８への取付けるとき、引き金８の角方向への移動が突起１１で確実にとめられるため、踏板１の取付位置は常に一定位置へ取付けることが出来るため、踏板１への荷重に対して、引き金８の動作モーメントが常に安定したものとなり、確実に獲物を捕獲できる。
【手続補正４】
【補正対象書類名】明細書
【補正対象項目名】００１０
【補正方法】変更
【補正の内容】
【００１０】
本発明の請求工５の括り罠は、台座３６は四角枠とし、その一辺に引き金８の角部を回転自由な固定金９で固定し、引き金８と引き金８に対向する他辺の２箇所で踏板３７を受け、四角枠の中の穴を塞ぐようにしている。
このため、引き金８と踏板３７は常に水平を保って設置することが出来、括り罠の設置者の技量の上手、下手なく罠を設置する事ができる。
【手続補正５】
【補正対象書類名】明細書
【補正対象項目名】００１２
【補正方法】変更
【補正の内容】
【００１２】
【図１】本願発明の一実施態様を示す括り罠の平面図（ａ）および正面図（ｂ）である。
【図２】括り罠の要部をなす台座６、引き金８等を示す斜視図である。
【図３】杭５の台座６への取付部を示す部分平面図（ａ）と側面図（ｂ）である。
【図４】回転ストッパー１７の一例（ａ）他の回転ストッパー１１８を示す斜視図（ｂ）である。
【図５】係止金具を示す斜視図である。
【図６】跳上げアーム４１の先端部を示す正面図（ａ）と側面図（ｂ）である。
【図７】係止装置７の取り付け状態を示す部分平面図（ａ）と側面断面図（ｂ）である。
【図８】四角枠の台座３６、引き金８、踏板３７の組合せ図の一例である。
【手続補正６】
【補正対象書類名】明細書
【補正対象項目名】００１４
【補正方法】変更
【補正の内容】
【００１４】
図１において、この発明に係る括り罠１００である。この括り罠１００は各部が猪等を狩るのに極めて簡単、丈夫で且つ最適な構造をしている。括り罠１００は地上に２５ｃｍ角、深さ５ｃｍ程度の落し穴を堀り、その上に置かれる踏板１と、踏板１の周りに敷設する括り輪２を設けた括りワイヤ３、および、前記括り輪２を瞬時に上方へ跳ね上げるための跳上げアーム４１、踏板１の一方を支持する引き金８を取付けた台座６等から構成されている。
【手続補正７】
【補正対象書類名】明細書
【補正対象項目名】００１７
【補正方法】変更
【補正の内容】
【００１７】
図４ａに回転ストッパー１７を示す。ほぼ角の尖ったＵ字形状をしており、金属板やプラスチック成形品で作られており、厚さは０．１〜１ｍｍ程度、幅は１０〜２０ｍｍ程度、深さは浅い方で５〜１０ｍｍ程度、深い方は１０〜２０ｍｍ程である。溝幅は台座６と引き金８の厚さを加算した厚さとほぼ同じで、回転ストッパー１７を差し込んだとき、容易に落ちない溝幅としている。
また、形状を図４ｂに示すように、Ｕ字の底部を丸みを持たせ円弧の回転ストッパー１１８としても良い。
【手続補正８】
【補正対象書類名】明細書
【補正対象項目名】００１８
【補正方法】変更
【補正の内容】
【００１８】
図５に係止装置７を構成する部品である係止軸２１、係止ピン２２を示す。係止軸２１、係止ピン２２は直径２ｍｍ程度の鋼線で作ってある。係止軸２１はU字形状をしており、その両端は台座６に打ち込み易くするため先鋭にしてある、係止ピン２２は一端に係止軸２１の直径より少し大きい内径に作られた円形部を持ち、残りの他の部分は直線状である。係止ピン２２の円形部に係止軸２１を通し回転自在としており、係止軸２１は台座６に設けたH字状の溝２０の一辺側に打ち込み、係止ピン２２の直線部がH字型の溝２０の中央の一辺内を自由に動けるように取り付ける。
H字状の溝２０を設けたのと同一面の両端には、括り輪２の形状が踏板１に対して適正な形状を保つように、アルミの針金で作った括り輪ガイド金１２を取り付けてある。
【手続補正９】
【補正対象書類名】明細書
【補正対象項目名】００２０
【補正方法】変更
【補正の内容】
【００２０】
係止輪２３は、直径１．５ｍｍ程度のステンレス針金で三角形状の輪を形成している。跳上げアーム４１の係止装置７を構成する係止ピン２２は跳上げアーム４１側に取付けた係止輪２３を通し、台座６に設けられたH字状の溝２０に落し込み、直線状の先端を引き金８に開けたピン孔１９に通して、係止軸２１と引き金８とで跳上げアーム４１を係止する。
【手続補正１０】
【補正対象書類名】明細書
【補正対象項目名】００２１
【補正方法】変更
【補正の内容】
【００２１】
括りワイヤ３は、外径が３〜６ｍｍ程度で細い撚り鋼線からなっており、その一端を地上に立てた立木等に固定し、他端を落し穴の周りに敷設する括り輪２を形成している。括りワイヤ３は、立木等に固定した一端から括り輪２に至るまでの途中で、基アーム４２にワイヤ固定部１４で固定、その次に跳上げアーム４１の先端に設けた括りワイヤ取し輪１３を通し、括り輪２に至っている。ワイヤ固定部１４は、括りワイヤ３と基アーム４２を３ｍｍ程度のアルミ線で巻き付けて構成しており、足を括られた猪等が暴れた場合にワイヤ固定部１４の固定が解かれ、括りワイヤ３と基アーム４２が外れるようにしている。
【手続補正１１】
【補正対象書類名】明細書
【補正対象項目名】００２３
【補正方法】変更
【補正の内容】
【００２３】
図８に示すように台座６を四角枠の台座３６とし、その一辺に引き金８の角部を回転自由な固定金９で固定し、引き金８と引き金８に対向する他辺の２箇所で踏板３７を受ける、四角枠の中の穴を塞ぐようにしもよい。こうすることにより、引き金８と踏板３７は常に水平を保って設置することが出来、括り罠の設置がいっそう容易になる。この場合、踏板３７は四角の板でも良い。
【手続補正１２】
【補正対象書類名】明細書
【補正対象項目名】００２５
【補正方法】変更
【補正の内容】
【００２５】
次に、括り罠１００の動作を説明する。猪等が落し穴を覆うように設置した踏板１を踏むと、図１に矢印で示す踏板１への荷重となり、踏板１を支持している引き金８側の踏板１が図１に矢印で示すように下方へ左回転し、同時に引き金８も同じく図１に矢印で示すように右回転する。引き金８が回転すると跳上げアーム４１の係止装置７の係止が外れ、跳上げアーム４１が跳ね上がる。括りワイヤ３はワイヤ固定部１４で基アーム４２に固定され、跳上げアーム４１の先端部で括りワイヤ通し輪１３に通されているので、括りワイヤ３に繋がれた括り輪２を上方へ引き上げる。その結果、前記括り輪２が猪等の足を掛けた
まま上方へ引き上げると同時に括り輪２を足の太さまで締める。よって、猪等の足が引っかかり、猪等のように有蹄動物は足首の太さよりもヒズメが大きいため、足が括り輪２から抜けなくなる。
括りワイヤ３と跳上げアーム４１、基アーム４２とは括りワイヤ固定部１４、括りワイヤ通し輪１３で接合されているが、括りワイヤ固定部１４、括りワイヤ通し輪１３とも分離可能なので、猪等が暴れると跳上げアーム４１、基アーム４２は括りワイヤ３から外れ、猪等がこれらを引きずることがないので括り罠が壊されることは無く、また、猪等を傷つけることも無くなる。
括りワイヤ３の他端は立木に固定されているので、猪等が暴れても外れることはない。
【手続補正１３】
【補正対象書類名】明細書
【補正対象項目名】００２６
【補正方法】変更
【補正の内容】
【００２６】
本発明の獣捕獲用括り罠は、猪や鹿等の野生動物を捕獲するための仕掛罠で、特に有蹄動物の捕獲に有用で、猟犬などは掛かることがなく、確実に目的とする獣の脚を括って捕らえることが可能であり、猟銃などが使えない場所でも使用できる。
【手続補正１４】
【補正対象書類名】図面
【補正対象項目名】図６
【補正方法】変更
【補正の内容】
【図６】
2013046575.tif 000001
【手続補正１５】
【補正対象書類名】図面
【補正対象項目名】図７
【補正方法】変更
【補正の内容】
【図７】
2013046575.tif 000002